【事件の表示】
　特許第３１２３６３４号「印刷装置及びその制御方法」の請求項１乃至１６に係る特許に対する特許異議の申立てについて、次のとおり決定する。
【結　論】
　訂正を認める。
　特許第３１２３６３４号の請求項１乃至１６に係る特許を維持する。
【理　由】
１．手続の経緯
　特許第３１２３６３４号（以下、「本件」という。）の請求項１乃至１６に係る発明は、平成６年１１月２２日に特許出願され、平成１２年１０月２７日にその特許権の設定の登録がなされ、平成１３年７月１２日付け小湊勇次及び高橋四郎より特許異議申立があり、平成１３年１０月１６日付け取消しの理由が通知され、その指定期間内である平成１３年１２月１７日付け訂正請求がされたものである。
２．訂正の適否についての判断
（１）訂正の内容
ア．訂正事項ａ
　訂正事項ａは、特許請求の範囲における請求項１の「当該印刷装置の消費電力を節約する状態とする消費電力節約モード」及び「前記解除条件判断手段は、前記入力データが印字動作を必要としない所定のデータであるか否かを判別する判別手段を備え、該判別手段により当該入力データが前記所定のデータであると判別された場合に、前記モード制御手段は、前記消費電力節約モードを解除しないことを特徴とする」を、「当該印刷装置の消費電力を節約するべく、表示部を含む複数の部材の消費電力を節約する状態とする消費電力節約モード」及び「前記解除条件判断手段は、前記入力データが印字動作を必要としない所定のデータであるか否かを判別する判別手段を備え、前記モード制御手段は、該判別手段により当該入力データが前記所定のデータであると判別された場合に前記消費電力節約モードを解除しないが、前記所定のデータと判別された入力データが所定の表示部制御コマンドである場合は、前記表示部の消費電力を節約する状態を解除し、他の部材については消費電力を節約する状態を維持することを特徴とする」と訂正するものである。
イ．訂正事項ｂ
　訂正事項ｂは、特許請求の範囲における請求項９の「当該印刷装置の消費電力を節約する状態とする消費電力節約モード」及び「前記解除条件判断工程は、前記入力データが印字動作を必要としない所定のデータであるか否かを判別する判別工程を有し、該判別工程により当該入力データが前記所定のデータであると判別された場合に、前記モード制御工程は、前記消費電力節約モードを解除しないことを特徴とする」を、「当該印刷装置の消費電力を節約するべく、表示部を含む複数の部材の消費電力を節約する状態とする消費電力節約モード」及び「前記解除条件判断工程は、前記入力データが印字動作を必要としない所定のデータであるか否かを判別する判別工程を有し、前記モード制御工程は、該判別工程により当該入力データが前記所定のデータであると判別された場合に前記消費電力節約モードを解除しないが、前記所定のデータと判別された入力データが所定の表示部制御コマンドである場合は、前記表示部の消費電力を節約する状態を解除し、他の部材については消費電力を節約する状態を維持することを特徴とする」と訂正するものである。
ウ．訂正事項ｃ
　訂正事項ｃは、段落【０００６】を、「【課題を解決するための手段】上記目的を達成するため本発明は、外部装置からの入力データに応じて印字動作を行う印刷装置において、当該印刷装置の消費電力を節約するべく、表示部を含む複数の部材の消費電力を節約する状態とする消費電力節約モードへの移行条件を判断する移行条件判断手段と、前記消費電力節約モードを解除する解除条件を判断する解除条件判断手段と、前記移行条件成立時は当該印刷装置を前記消費電力節約モードに移行させ、前記解除条件成立時は前記消費電力節約モードを解除するモード制御手段とを有し、前記解除条件判断手段は、前記入力データが印字動作を必要としない所定のデータであるか否かを判別する判別手段を備え、前記モード制御手段は、該判別手段により当該入力データが前記所定のデータであると判別された場合に前記消費電力節約モードを解除しないが、前記所定のデータと判別された入力データが所定の表示部制御コマンドである場合は、前記表示部の消費電力を節約する状態を解除し、他の部材については消費電力を節約する状態を維持するようにしたものである。」と訂正するものである。
エ．訂正事項ｄ
　訂正事項ｄは、段落【０００７】を、「さらに本発明は同じ目的を達成するため、外部装置からの入力データに応じて印字動作を行う印刷装置の制御方法において、当該印刷装置の消費電力を節約するべく、表示部を含む複数の部材の消費電力を節約する状態とする消費電力節約モードへの移行条件を判断する移行条件判断工程と、前記消費電力節約モードを解除する解除条件を判断する解除条件判断工程と、前記移行条件成立時は当該印刷装置を前記消費電力節約モードに移行させ、前記解除条件成立時は前記消費電力節約モードを解除するモード制御工程とを有し、前記解除条件判断工程は、前記入力データが印字動作を必要としない所定のデータであるか否かを判別する判別工程を有し、前記モード制御工程は、該判別工程により当該入力データが前記所定のデータであると判別された場合に前記消費電力節約モードを解除しないが、前記所定のデータと判別された入力データが所定の表示部制御コマンドである場合は、前記表示部の消費電力を節約する状態を解除し、他の部材については消費電力を節約する状態を維持するようにしたものである。」と訂正するものである。
オ．訂正事項ｅ
　訂正事項ｅは、段落【００２８】を、「【発明の効果】以上詳述したように本発明の印刷装置又はその制御方法によれば、消費電力節約モードを解除する解除条件が判断される際に、外部装置からの入力データが印字動作を必要としない所定のデータであるか否かが判別され、前記入力データが前記所定のデータであると判別された時は消費電力節約モードが解除されないが、所定のデータと判別された入力データが所定の表示部制御コマンドである場合は、前記表示部の消費電力を節約する状態を解除し、他の部材については消費電力を節約する状態を維持するので、例えば消費電力節約モードにある装置の表示部にリモート指示によりメッセージを表示したい場合でも、表示部の消費電力を節約する状態を解除し、その他の部材については消費電力を節約する状態を維持する結果、リモート指示によるメッセージ表示と装置の消費電力の低減という２つの目的をバランス良く達成することができる。」と訂正するものである。
（２）訂正の目的の適否、新規事項の有無及び拡張・変更の存否
（ａ）訂正事項a
　訂正事項aは、特許請求の範囲の請求項１に記載された「当該印刷装置の消費電力を節約する状態とする消費電力節約モード」を、「表示器４１及びＬＥＤ４２に対する消費電力節約モードのＯＮ／ＯＦＦの制御を行う。」（段落【００１８】、本件特許公報第８欄第１８行乃至第２０行、図３）という記載に基いて、「当該印刷装置の消費電力を節約するべく、表示部を含む複数の部材の消費電力を節約する状態とする消費電力節約モード」と技術的に具体化し限定したものであり、また、同範囲の請求項１に記載された「該判別手段により当該入力データが前記所定のデータであると判別された場合に前記消費電力節約モードを解除しない」手段について、「さらに入力データが表示器４１やＬＥＤ４２を制御するためのコマンドである場合も、消費電力節約モードを解除しないようにしてもよい。但し、この場合は、コマンドの内容に応じて表示器４１やＬＥＤ４２だけは消費電力節約モードを解除する。」（段落【００２５】、本件特許公報第９欄第２０行乃至第２５行）という記載に基いて、モード制御手段が、「前記消費電力節約モードを解除しないが、前記所定のデータと判別された入力データが所定の表示部制御コマンドである場合は、前記表示部の消費電力を節約する状態を解除し、他の部材については消費電力を節約する状態を維持する」ものであることと技術的に具体化し限定したものである。
　そうすると、訂正事項ａは、前記モード制御手段であることが明りょうでない点を釈明するとともに特許請求の範囲を減縮するものである。
　したがって、上記訂正事項aは、特許請求の範囲の減縮及び明りようでない記載の釈明を目的とするものである。
　また、その訂正は、願書に添付した明細書又は図面に記載した事項の範囲内において訂正したものであり、実質上特許請求の範囲を拡張し又は変更するものではない。
（ｂ）訂正事項ｂ
　訂正事項ｂは、特許請求の範囲の請求項９に記載された「当該印刷装置の消費電力を節約する状態とする消費電力節約モード」を、「表示器４１及びＬＥＤ４２に対する消費電力節約モードのＯＮ／ＯＦＦの制御を行う。」（段落【００１８】、本件特許公報第８欄第１８行乃至第２０行、図３）という記載に基いて、「当該印刷装置の消費電力を節約するべく、表示部を含む複数の部材の消費電力を節約する状態とする消費電力節約モード」と技術的に具体化し限定したものである。
　また、同範囲の請求項９に記載された「該判別手段により当該入力データが前記所定のデータであると判別された場合に前記消費電力節約モードを解除しない」手段について、「さらに入力データが表示器４１やＬＥＤ４２を制御するためのコマンドである場合も、消費電力節約モードを解除しないようにしてもよい。但し、この場合は、コマンドの内容に応じて表示器４１やＬＥＤ４２だけは消費電力節約モードを解除する。」（段落【００２５】、本件特許公報第９欄第２０行乃至第２５行）という記載に基いて、モード制御手段が、「前記消費電力節約モードを解除しないが、前記所定のデータと判別された入力データが所定の表示部制御コマンドである場合は、前記表示部の消費電力を節約する状態を解除し、他の部材については消費電力を節約する状態を維持する」ものであることと技術的に具体化し限定したものである。
　そうすると、訂正事項ｂは、前記モード制御手段であることが明りょうでない点を釈明することを目的とし、かつ、特許請求の範囲を減縮することを目的とするものである。
　また、その訂正は、願書に添付した明細書又は図面に記載した事項の範囲内においてしたものであり、実質上特許請求の範囲を拡張し又は変更するものではない。
（ｃ）訂正事項ｃ
　訂正事項ｃは、段落【０００６】に記載されてある課題を解決するための手段を、訂正事項ａによって請求項１に係る発明が訂正されたことに整合させて、「上記目的を達成するため本発明は、外部装置からの入力データに応じて印字動作を行う印刷装置において、当該印刷装置の消費電力を節約するべく、表示部を含む複数の部材の消費電力を節約する状態とする消費電力節約モードへの移行条件を判断する移行条件判断手段と、前記消費電力節約モードを解除する解除条件を判断する解除条件判断手段と、前記移行条件成立時は当該印刷装置を前記消費電力節約モードに移行させ、前記解除条件成立時は前記消費電力節約モードを解除するモード制御手段とを有し、前記解除条件判断手段は、前記入力データが印字動作を必要としない所定のデータであるか否かを判別する判別手段を備え、前記モード制御手段は、該判別手段により当該入力データが前記所定のデータであると判別された場合に前記消費電力節約モードを解除しないが、前記所定のデータと判別された入力データが所定の表示部制御コマンドである場合は、前記表示部の消費電力を節約する状態を解除し、他の部材については消費電力を節約する状態を維持するようにしたものである。」と訂正するものである。
　そうすると、訂正事項ｃは、請求項１に係る発明が訂正されたことに基いて、明細書における特許請求の範囲と発明の詳細な説明の段落【０００６】の記載が一致しなくなることを避けるために整合させた訂正であって、明りょうでない記載の釈明を目的とするものである。
　また、その訂正は、願書に添付した明細書又は図面に記載した事項の範囲内において訂正したものであり、実質上特許請求の範囲を拡張し又は変更するものでもない。
（ｄ）訂正事項ｄ
　訂正事項ｄは、段落【０００７】に記載されてある事項を、訂正事項ｂによって請求項９に係る発明が訂正されたことに整合させて、「さらに本発明は同じ目的を達成するため、外部装置からの入力データに応じて印字動作を行う印刷装置の制御方法において、当該印刷装置の消費電力を節約するべく、表示部を含む複数の部材の消費電力を節約する状態とする消費電力節約モードへの移行条件を判断する移行条件判断工程と、前記消費電力節約モードを解除する解除条件を判断する解除条件判断工程と、前記移行条件成立時は当該印刷装置を前記消費電力節約モードに移行させ、前記解除条件成立時は前記消費電力節約モードを解除するモード制御工程とを有し、前記解除条件判断工程は、前記入力データが印字動作を必要としない所定のデータであるか否かを判別する判別工程を有し、前記モード制御工程は、該判別工程により当該入力データが前記所定のデータであると判別された場合に前記消費電力節約モードを解除しないが、前記所定のデータと判別された入力データが所定の表示部制御コマンドである場合は、前記表示部の消費電力を節約する状態を解除し、他の部材については消費電力を節約する状態を維持するようにしたものである。」と訂正するものである。
　そうすると、訂正事項ｄは、請求項９に係る発明が訂正されたことに基いて、明細書における特許請求の範囲と発明の詳細な説明の段落【０００７】の記載が一致しなくなることを避けるために整合させた訂正であり、明りょうでない記載の釈明を目的とするものである。
　また、その訂正は、願書に添付した明細書又は図面に記載した事項の範囲内において訂正したものであり、実質上特許請求の範囲を拡張し又は変更するものでもない。
（ｅ）訂正事項ｅ
　訂正事項ｅは、段落【００２８】に記載された発明の効果を、特許請求の範囲の請求項が訂正されたことに伴い、特許請求の範囲の請求項に係る発明が奏する効果について、訂正事項ａ、ｂに基づく訂正に対応した効果として、「本発明の印刷装置又はその制御方法によれば、消費電力節約モードを解除する解除条件が判断される際に、外部装置からの入力データが印字動作を必要としない所定のデータであるか否かが判別され、前記入力データが前記所定のデータであると判別された時は消費電力節約モードが解除されないが、所定のデータと判別された入力データが所定の表示部制御コマンドである場合は、前記表示部の消費電力を節約する状態を解除し、他の部材については消費電力を節約する状態を維持するので、例えば消費電力節約モードにある装置の表示部にリモート指示によりメッセージを表示したい場合でも、表示部の消費電力を節約する状態を解除し、その他の部材については消費電力を節約する状態を維持する結果、リモート指示によるメッセージ表示と装置の消費電力の低減という２つの目的をバランス良く達成することができる。」と訂正事項ａ、ｂによって訂正された発明に基く効果を技術的に具体化し限定された態様で規定したものである。
　そうすると、訂正事項ｅは、請求項に係る発明が訂正されたことに基いて、明細書における特許請求の範囲と発明の詳細な説明の段落【００２８】の記載が一致しなくなることを避けるために整合させた訂正であって、明りょうでない記載の釈明を目的とするものである。
　また、その訂正は、願書に添付した明細書又は図面に記載した事項の範囲内において訂正したものであり、実質上特許請求の範囲を拡張し又は変更するものでもない。
（３）むすび
　以上のとおりであるから、上記訂正は特許法等の一部を改正する法律（平成６年法律第１１６号）附則第６条第１項の規定によりなお従前の例によるとされる、平成１１年改正前の特許法の第１２０条の４第３項において準用する平成６年法律第１１６号による改正前の特許法第１２６条第１項ただし書き、第２項及び第３項の規定に適合するので、当該訂正を認める。
３．特許異議申立てについての判断
（１）申立ての理由の概要
ア．小湊勇次の申立て
　本件特許の請求項１及び請求項９に係る発明は、刊行物１に記載された発明であるから特許法第２９条第１項第３号の規定に該当するか、もしくは、刊行物１に記載された発明に基いてその発明の属する技術の分野における通常の知識を有する者が容易に発明をすることができたものであるから特許法第２９条第２項の規定により特許を受けることができないものである。
　したがって、本件特許の請求項１及び請求項９に係る発明についての特許は、拒絶の査定をしなければならない特許出願に対してされたものである。
　また、本件特許の請求項２乃至請求項８に係る発明及び請求項１０乃至請求項１６に係る発明は、刊行物１乃至刊行物３に記載された発明に基いて、その発明の属する技術の分野における通常の知識を有する者が容易に発明をすることができたものであって、特許法第２９条第２項の規定により特許を受けることができないものである。
　したがって、本件特許の請求項２乃至請求項８に係る発明及び請求項１０乃至請求項１６に係る発明についての特許は、拒絶の査定をしなければならない特許出願に対してされたものである。
イ．高橋四郎の申立て
　本件特許の請求項１、４、８及び請求項１２に係る発明は、刊行物１に記載された発明であるから特許法第２９条第１項第３号の規定に該当するか、もしくは、刊行物１に記載された発明に基いて、その発明の属する技術の分野における通常の知識を有する者が容易に発明をすることができたものであるから特許法第２９条第２項の規定により特許を受けることができないものである。
　したがって、本件特許の請求項１、４、８及び請求項１２に係る発明についての特許は、拒絶の査定をしなければならない特許出願に対してされたものである。
　また、本件特許の請求項２、３、５乃至８、１０、１１，及び１３乃至１６に係る発明は、刊行物１に記載された発明に基いて、その発明の属する技術の分野における通常の知識を有する者が容易に発明をすることができたものであって、特許法第２９条第２項の規定により特許を受けることができないものである。
　したがって、本件特許の請求項２、３、５乃至８、１０、１１，及び１３乃至１６に係る発明についての特許は、拒絶の査定をしなければならない特許出願に対してされたものである。
（２）本件特許の請求項１乃至１６に係る発明
　上記２．で示したように上記訂正が認められるから、本件特許の請求項１乃至１６に係る発明は、上記訂正に係る訂正明細書の特許請求の範囲に記載されたとおりのものであって、請求項１についてＡ乃至Ｇを、請求項９についてＬ乃至Ｒを挿入して分説すると、次のとおりである。
【請求項１】
Ａ．外部装置からの入力データに応じて印字動作を行う印刷装置において、
Ｂ．当該印刷装置の消費電力を節約するべく、表示部を含む複数の部材の消費電力を節約する状態とする消費電力節約モードへの移行条件を判断する移行条件判断手段と、
Ｃ．前記消費電力節約モードを解除する解除条件を判断する解除条件判断手段と、
Ｄ．前記移行条件成立時は当該印刷装置を前記消費電力節約モードに移行させ、前記解除条件成立時は前記消費電力節約モードを解除するモード制御手段とを有し、
Ｅ．前記解除条件判断手段は、前記入力データが印字動作を必要としない所定のデータであるか否かを判別する判別手段を備え、
Ｆ．前記モード制御手段は、該判別手段により当該入力データが前記所定のデータであると判別された場合に前記消費電力節約モードを解除しないが、前記所定のデータと判別された入力データが所定の表示部制御コマンドである場合は、前記表示部の消費電力を節約する状態を解除し、他の部材については消費電力を節約する状態を維持すること
Ｇ．を特徴とする印刷装置。
【請求項２】前記所定のデータは、当該印刷装置の各種情報を問うステータス応答コマンドであることを特徴とする請求項１記載の印刷装置。
【請求項３】前記所定のデータは、当該印刷装置のインターフェースのフローコントロールをするための制御コードであることを特徴とする請求項１記載の印刷装置。
【請求項４】前記所定のデータは、当該印刷装置に登録するダウンロードフォントデータであることを特徴とする請求項１記載の印刷装置。
【請求項５】前記所定のデータは、当該印刷装置に登録するオーバレイプリントデータであることを特徴とする請求項１記載の印刷装置。
【請求項６】前記所定のデータは、当該印刷装置に登録するマクロデータであることを特徴とする請求項１記載の印刷装置。
【請求項７】前記所定のデータは、当該印刷装置の表示部制御コマンドであることを特徴とする請求項１記載の印刷装置。
【請求項８】前記所定のデータは、当該印刷装置の各種情報を問うステータス応答コマンド、当該印刷装置のインターフェースのフローコントロールをするための制御コード、当該印刷装置に登録するダウンロードフォントデータ、当該印刷装置に登録するオーバレイプリントデータ、当該印刷装置に登録するマクロデータ及び当該印刷装置の表示部制御コマンドの少なくとも１つであることを特徴とする請求項１記載の印刷装置。
【請求項９】
Ｌ．外部装置からの入力データに応じて印字動作を行う印刷装置の制御方法において、
Ｍ．当該印刷装置の消費電力を節約するべく、表示部を含む複数の部材の消費電力を節約する状態とする消費電力節約モードへの移行条件を判断する移行条件判断工程と、
Ｎ．前記消費電力節約モードを解除する解除条件を判断する解除条件判断工程と、
Ｏ．前記移行条件成立時は当該印刷装置を前記消費電力節約モードに移行させ、前記解除条件成立時は前記消費電力節約モードを解除するモード制御工程とを有し、
Ｐ．前記解除条件判断工程は、前記入力データが印字動作を必要としない所定のデータであるか否かを判別する判別工程を有し、
Ｑ．前記モード制御工程は、該判別工程により当該入力データが前記所定のデータであると判別された場合に前記消費電力節約モードを解除しないが、前記所定のデータと判別された入力データが所定の表示部制御コマンドである場合は、前記表示部の消費電力を節約する状態を解除し、他の部材については消費電力を節約する状態を維持すること
Ｒ．を特徴とする印刷装置の制御方法。
【請求項１０】前記所定のデータは、当該印刷装置の各種情報を問うステータス応答コマンドであることを特徴とする請求項９記載の印刷装置の制御方法。
【請求項１１】前記所定のデータは、当該印刷装置のインターフェースのフローコントロールをするための制御コードであることを特徴とする請求項９記載の印刷装置の制御方法。
【請求項１２】前記所定のデータは、当該印刷装置に登録するダウンロードフオントデータであることを特徴とする請求項９記載の印刷装置の制御方法。
【請求項１３】前記所定のデータは、当該印刷装置に登録するオーバレイプリントデータであることを特徴とする請求項９記載の印刷装置の制御方法。
【請求項１４】前記所定のデータは、当該印刷装置に登録するマクロデータであることを特徴とする請求項９記載の印刷装置の制御方法。
【請求項１５】前記所定のデータは、当該印刷装置の表示部制御コマンドであることを特徴とする請求項９記載の印刷装置の制御方法。
【請求項１６】前記所定のデータは、当該印刷装置の各種情報を問うステータス応答コマンド、当該印刷装置のインターフェースのフローコントロールをするための制御コード、当該印刷装置に登録するダウンロードフォントデータ、当該印刷装置に登録するオーバレイプリントデータ、当該印刷装置に登録するマクロデータ及び当該印刷装置の表示部制御コマンドの少なくとも１つであることを特徴とする請求項９記載の印刷装置の制御方法。
（３）刊行物
（３−１）刊行物
刊行物１    特開平６−２８２１２７号公報（特許異議申立人小湊勇次及び高橋四郎が提出した甲第１号証）
刊行物２　　特開平２−２３６７１６号公報（特許異議申立人小湊勇次が提出した甲第２号証）
刊行物３　　特開平３−１６４２８３号公報（同申立人が提出した甲第３号証）
（３−２）刊行物に記載された発明
刊行物１（特開平６−２８２１２７号公報）
　刊行物１には、印刷装置及びその制御方法として、
「本発明は、レーザープリンタ等の印刷装置に係わり、特に定着装置の熱制御に係わる電力消費に関するものである。（中略）従来、（中略）所定時間内に受信手段からの受信がないときには、定着装置への電力供給を抑えたり止めたりして消費電力を抑える制御が行われている。そして、この消費電力を抑えている状態(以下この状態をパワーセーブ状態と呼ぶ。)のままでは、定着装置の温度が低下している為に、その状態で印刷を行うと印刷不良が発生する。このために印刷をする際には、定着装置への電力供給を再開し、定着装置の温度を前記所定の温度に戻すように制御しておかねばならない」（【０００１】、【０００２】、【０００４】）と記載され、
　「本発明は、（中略）受信データを解析して実際に印字を行なう処理のデータが受信されたときのみ、定着装置の温度が所定の定着温度になるように、その定着装置に電力供給をすることで、消費電力の少ない印刷装置を提供することを目的とする。」（【０００７】）として、
「【課題を解決するための手段】この目的を達成するために本発明の印刷装置は、図１に示すように、ホストコンピューターから送信されるデータを受信するデータ受信手段と、定着装置を有し、印刷を行う印刷手段とを備え、所定の電源からの電力供給に応じて、該定着装置の温度が変化するように構成されており、更に、ホストコンピュータが印刷を行なう処理を要求しているか否かを判断する判断手段と、前記判断手段により、印刷を行なう処理であると判断された場合には、前記定着装置の温度が定着可能な所定の定着温度にまで上昇するように前記定着装置への電力供給を制御する第一の電力制御手段と、前記判断手段により、印刷を行なわない処理と判断された場合には、前記定着装置の温度が所定の定着温度より低い温度となるように前記定着装置への電力供給を制御する第二の電力制御手段とを備えている。尚、前記判断手段は、ホストコンピュータからデータが送られてきたか否かを検出するデータ検出手段と、ホストコンピュータが指令する制御コードをテーブルデータとして予め記憶する制御コード記憶手段と、前記受信手段が受信したデータと前記テーブルデータとを比較して、前記受信データが前記制御コード記憶手段中の制御コードと一致するか否かを識別する識別手段とから構成されていてもよい。
【作用】上記の構成を有する本発明の印刷装置は、データ受信手段により、ホストコンピュータから送信されるデータが受信される。判断手段により、その受信手段より受信したデータを解析して印刷する処理か否かを判断させる。受信データの内容を判断手段により、印刷する処理と判断された場合には、第一の電力制御手段により、定着装置の温度が定着可能な所定の定着温度になるようにその定着装置への電力供給は制御される。」（【０００８】乃至【００１０】）、
「また、ホストコンピュータ２から送られるデータを判別するために、ホストコンピュータ２から送られる制御コードは、予め、（中略）、ＲＯＭ１３にテーブルデータとして格納してある。ＣＰＵ１１は受信したデータをこのテーブルデータと比較し、一致するか否かを検出することで、そのデータが制御コードであるか否かを識別する。（中略）フオントのダウンロードなど（中略）この制御の為のデータと印刷データとを区別する（中略）上記のように、印刷データ、制御コード、その制御のためのデータを判別することで、ホストコンピュータが印刷を行なう処理を要求しているか否かを判断する。」（【００２２】乃至【００２４】）、及び
「ホストコンピュータ２からデータが送信されると、（中略）受信したデータは、まずＲＡＭ１２内の受信バッファに蓄えられ、ＣＰＵ１１がその受信したデータをＲＯＭ１３上のテーブルデータと比較することで、制御コードであるか印刷データであるかをＣＰＵ１１により判断される(Ｓ３)。受信したデータが（中略）、印刷データであると判断された場合(Ｓ３：ＮＯ)には、（中略）、現在、定着装置１４ａがパワーセーブ状態にあるか否かを検出する(Ｓ４)。パワーセーブ状態である場合(Ｓ４：ＹＥＳ)には、（中略）その定着装置１４aに電力を供給させる(Ｓ５)。パワーセーブ状態でなく定着装置１４aが定着温度１７０℃に保たれている場合(Ｓ４：ＮＯ)は、そのまま現状の電力供給を維持する。」（【００２７】乃至【００２９】）と記載され、さらに、実施例におけるパワーセーブ状態の維持やパワーセーブ状態への移行に関して、
　「また、印刷データが送られてこない場合(Ｓ２：ＮＯ)叉は、制御コード及びその制御のためのデータを受信した場合(Ｓ３：ＹＥＳ)には、（中略）、その時点での定着装置１４ａの状態を判別する(Ｓ７)。パワーセーブ状態であったならば、（中略）印刷データを受信するまでそのまま現状のパワーセーブ状態を維持する。定着装置１４aがパワーセーブ状態でないならば（中略）、印刷データを受信するまで、前記カウンター１１aの値（中略）が０になれば(Ｓ９：ＹＥＳ)、ＣＰＵ１１はＲＯＭ１３内の第二の電力制御手段に当たる電力制御プログラムに従って、電源に指令を送り、定着装置１４aへの電力供給を遮断させる。そして、パワーセーブ状態に移行させる。パワーセーブ状態に移行後はＳ２に戻って、上記のように受信データを判別し、印刷データを受信するまでそのまま現状のパワーセーブ状態を維持する。印刷データが受信されたならば(Ｓ３：ＮＯ)、上述のように、Ｓ４に戻り、パワーセーブ状態を解除する。」（【００３２】乃至【００３５】）と記載されている。
　これらの記載によれば、刊行物１には、以下に示す発明が記載されている。
ア．装置に係る発明として、本件の請求項１に係る発明の構成に対応・対置させて認定すると、
Ａ’．本件の請求項１に係る発明の構成Ａの「外部装置からの入力データに応じて印字動作を行う印刷装置において」に対応する構成として、
　『ホストコンピューターから送信されるデータを受信するデータ受信手段、定着装置、印刷手段とを備え、電力供給に応じて、該定着装置の温度が変化するように構成されている印刷装置』が認められ、
Ｂ’．本件の請求項１に係る発明の構成Ｂの「当該印刷装置の消費電力を節約するべく、表示部を含む複数の部材の消費電力を節約する状態とする消費電力節約モードへの移行条件を判断する移行条件判断手段と」に対応する構成として、
　『その受信手段より受信したデータを解析して印刷する処理か否かを判断させる判断手段』が認められ（但し、「表示部を含む複数の部材」とは記載されていない。）、
Ｃ’．本件の請求項１に係る発明の構成Ｃの「前記消費電力節約モードを解除する解除条件を判断する解除条件判断手段と」に対応する構成として、
　『前記判断手段により、印刷を行なわない処理と判断された場合には、前記定着装置の温度が所定の定着温度より低い温度となるように前記定着装置への電力供給を制御する第二の電力制御手段と』が認められ、
Ｄ’．本件の請求項１に係る発明の構成Ｄの「前記移行条件成立時は当該印刷装置を前記消費電力節約モードに移行させ、前記解除条件成立時は前記消費電力節約モードを解除するモード制御手段とを有し」に対応する構成として、
  『前記判断手段により、印刷を行なう処理であると判断された場合には、前記定着装置の温度が定着可能な所定の定着温度にまで上昇するように前記定着装置への電力供給を制御する第一の電力制御手段と、前記判断手段により、印刷を行なわない処理と判断された場合には、前記定着装置の温度が所定の定着温度より低い温度となるように前記定着装置への電力供給を制御する第二の電力制御手段と』が認められ、
Ｅ’．本件の請求項１に係る発明の構成Ｅの「前記解除条件判断手段は、前記入力データが印字動作を必要としない所定のデータであるか否かを判別する判別手段を備え」に対応する構成として、
　『印刷データ、制御コード、その制御のためのデータを判別することで、ホストコンピュータが印刷を行なう処理を要求しているか否かの判断手段であって、前記判断手段は、ホストコンピュータからデータが送られてきたか否かを検出するデータ検出手段と、ホストコンピュータが指令する制御コードをテーブルデータとして予め記憶する制御コード記憶手段と、前記受信手段が受信したデータと前記テーブルデータとを比較して、前記受信データが前記制御コード記憶手段中の制御コードと一致するか否かを識別する識別手段とから構成されているもの』が認められ、及び
Ｆ’．本件の請求項１に係る発明の構成Ｆの「前記モード制御手段は、該判別手段により当該入力データが前記所定のデータであると判別された場合に前記消費電力節約モードを解除しないが、前記所定のデータと判別された入力データが所定の表示部制御コマンドである場合は、前記表示部の消費電力を節約する状態を解除し、他の部材については消費電力を節約する状態を維持すること」のうちの、「判別手段により入力データが前記所定のデータであると判別された場合に、モード制御手段として、消費電力節約モードを解除しない」構成について、
『印刷データが送られてこない場合、叉は、制御コード及びその制御のためのデータを受信した場合には、印刷データを受信するまでそのまま現状のパワーセーブ状態を維持し、印刷データが受信されたならば、パワーセーブ状態を解除する手段』（但し、「前記所定のデータと判別された入力データが所定の表示部制御コマンドである場合は、前記表示部の消費電力を節約する状態を解除し、他の部材については消費電力を節約する状態を維持すること」に係る構成は記載されていない。）が認められる。
　なお、刊行物１の発明は、本願の請求項２乃至８に対応する構成として、プリンタへの入力データ(受信データ)のうち印字動作を必要としないデータ（「制御の為のデータと印刷データとを区別するフオントダウンロードなど」（段落【００２３】）という記載からみて、制御データや印刷で使用するフォントの形状データなど）を備えているものと認められる。
イ．方法に係る発明として、本件の請求項９に係る発明の構成に対応・対置させて認定すると、
Ｌ’．本件の請求項９に係る発明の構成Ｌの「外部装置からの入力データに応じて印字動作を行う印刷装置の制御方法において」に対応する構成として、
　『ホストコンピューターから送信されるデータを受信するデータ受信手段、定着装置、印刷手段とを備え、電力供給に応じて、該定着装置の温度が変化するように制御する方法』が認められ、
Ｍ’．本件の請求項９に係る発明の構成Ｍの「当該印刷装置の消費電力を節約するべく、表示部を含む複数の部材の消費電力を節約する状態とする消費電力節約モードへの移行条件を判断する移行条件判断工程と」に対応する構成として、
　『その受信手段より受信したデータを解析して印刷する処理か否かを判断させる判断する工程と』が認められ（但し、「表示部を含む複数の部材」とは記載されていない。）、
Ｎ’．本件の請求項９に係る発明の構成Ｎの「前記消費電力節約モードを解除する解除条件を判断する解除条件判断工程と」に対応する構成として、
前記消費電力節約モードを解除する解除条件を判断する解除条件判断工程と、
　『前記判断手段により、印刷を行なわない処理と判断された場合には、前記定着装置の温度が所定の定着温度より低い温度となるように前記定着装置への電力供給を制御する第二の電力制御工程と』が認められ、
Ｏ’．本件の請求項９に係る発明の構成Ｏの「前記移行条件成立時は当該印刷装置を前記消費電力節約モードに移行させ、前記解除条件成立時は前記消費電力節約モードを解除するモード制御工程とを有し」に対応する構成として、
  『前記判断手段により、印刷を行なう処理であると判断された場合には、前記定着装置の温度が定着可能な所定の定着温度にまで上昇するように前記定着装置への電力供給を制御する第一の電力制御工程と、
　前記判断手段により、印刷を行なわない処理と判断された場合には、前記定着装置の温度が所定の定着温度より低い温度となるように前記定着装置への電力供給を制御する第二の電力制御工程と』が認められ、
Ｐ’．本件の請求項９に係る発明の構成Ｐの「前記解除条件判断工程は、前記入力データが印字動作を必要としない所定のデータであるか否かを判別する判別工程を有し」構成として、
　『印刷データ、制御コード、その制御のためのデータを判別することで、ホストコンピュータが印刷を行なう処理を要求しているか否かの判断工程であって、前記判断手段は、ホストコンピュータからデータが送られてきたか否かを検出するデータ検出手段と、ホストコンピュータが指令する制御コードをテーブルデータとして予め記憶する制御コード記憶手段と、前記受信手段が受信したデータと前記テーブルデータとを比較して、前記受信データが前記制御コード記憶手段中の制御コードと一致するか否かを識別する識別工程とからなる構成』が認められ、及び
Ｑ’．本件の請求項９に係る発明の構成Ｑの「前記モード制御工程は、該判別工程により当該入力データが前記所定のデータであると判別された場合に前記消費電力節約モードを解除しないが、前記所定のデータと判別された入力データが所定の表示部制御コマンドである場合は、前記表示部の消費電力を節約する状態を解除し、他の部材については消費電力を節約する状態を維持すること」のうちの、「前記モード制御工程は、該判別工程により当該入力データが前記所定のデータであると判別された場合に前記消費電力節約モードを解除しない」構成として、『印刷データが送られてこない場合、叉は、制御コード及びその制御のためのデータを受信した場合には、印刷データを受信するまでそのまま現状のパワーセーブ状態を維持し、印刷データが受信されたならば、パワーセーブ状態を解除すること』（但し、「前記所定のデータと判別された入力データが所定の表示部制御コマンドである場合は、前記表示部の消費電力を節約する状態を解除し、他の部材については消費電力を節約する状態を維持すること」に係る構成は記載されていない。）が認められる。
　なお、刊行物１の発明は、本願の請求項１０乃至１６に対応する構成として、プリンタへの入力データ(受信データ)のうち印字動作を必要としないデータ（「制御の為のデータと印刷データとを区別するフオントダウンロードなど」（段落【００２３】）という記載からみて、制御データや印刷で使用するフォントの形状データなど）を備えているものと認められる。
刊行物２（特開平２−２３６７１６号公報）
　刊行物２には、プリンタに接続されたコンピュータなどのデータ管理装置から、プリンタの動作状態を示す表示用ステータスの送信を要求する信号をプリンタに送信する構成として、『印刷装置の各種情報を問うステータス応答コマンドを印刷装置に送信する構成』（第３頁右下欄第１９行乃至第４頁左上欄第１０行）が記載されている。
刊行物３（特開平３−１６４２８３号公報）
　刊行物３には、ホストシステムから送られてくるオーバレイ情報を格納するためのオーバレイ情報格納用メモリを有したプリンタとして、『印刷装置に登録するオーバレイプリントデータを印刷装置に送信する構成』（第１頁右欄第８行乃至同欄第１９行）が記載されている。
（４）対比・判断
１）本件の請求項１に係る発明
　本件の請求項１に係る発明と刊行物１の発明（装置に係る発明）を比較すると、刊行物１の発明は、本件の請求項１に係る発明の構成Ａ乃至Ｆに対応して、（３）に説示のＡ’乃至Ｆ’の構成を備えているので、双方の発明は、
「外部装置からの入力データに応じて印字動作を行う印刷装置において、当該印刷装置の消費電力を節約するべく、印刷装置の部材の消費電力を節約する状態とする消費電力節約モードへの移行条件を判断する移行条件判断手段と、前記消費電力節約モードを解除する解除条件を判断する解除条件判断手段と、前記移行条件成立時は当該印刷装置を前記消費電力節約モードに移行させ、前記解除条件成立時は前記消費電力節約モードを解除するモード制御手段とを有し、前記解除条件判断手段は、前記入力データが印字動作を必要としない所定のデータであるか否かを判別する判別手段を備え、前記モード制御手段は、該判別手段により当該入力データが前記所定のデータであると判別された場合に前記消費電力節約モードを解除しないが、前記所定のデータと判別された入力データが所定の制御コマンドである場合は、前記の消費電力を節約する状態を解除することを特徴とする印刷装置。」の構成を備えているものである点において一致する。
　しかしながら、刊行物１の発明は、少なくとも、本件の請求項１に係る発明の構成Ｇの「前記所定のデータと判別された入力データが所定の表示部制御コマンドである場合は、前記表示部の消費電力を節約する状態を解除し、他の部材については消費電力を節約する状態を維持すること」の構成（以下、「摘示事項ｇ」という。）を備えていないものである。
　また、刊行物２、３の発明も、本件の請求項１に係る発明の構成Ｇの上記の摘示事項ｇを備えていないものである。
　そうすると、刊行物１乃至３の発明は、本願の請求項１に係る発明が奏する「本発明の印刷装置（中略）によれば、消費電力節約モードを解除する解除条件が判断される際に、外部装置からの入力データが印字動作を必要としない所定のデータであるか否かが判別され、前記入力データが前記所定のデータであると判別された時は消費電力節約モードが解除されないが、所定のデータと判別された入力データが所定の表示部制御コマンドである場合は、前記表示部の消費電力を節約する状態を解除し、他の部材については消費電力を節約する状態を維持するので、例えば消費電力節約モードにある装置の表示部にリモート指示によりメッセージを表示したい場合でも、表示部の消費電力を節約する状態を解除し、その他の部材については消費電力を節約する状態を維持する結果、リモート指示によるメッセージ表示と装置の消費電力の低減という２つの目的をバランス良く達成することができる。」（【００３８】）という特有の効果を奏することはできない。
　したがって、本件の請求項１に係る発明は、当業者が刊行物１乃至３の発明に基いて想到することができたものではない。
２）本件の請求項２乃至８に係る発明
　本件の請求項２乃至８に係る発明は、それぞれ、請求項１に係る発明を技術的に限定したものであるから、本件の請求項２乃至８に係る発明は、当業者が刊行物１乃至３の発明に基いて、容易に発明をすることができたものとすることができない。
３）本件の請求項９に係る発明
　本件の請求項９に係る発明と刊行物１の発明（方法に係る発明）を比較すると、刊行物１の発明は、本件の請求項１に係る発明の構成Ｌ乃至Ｑに対応して、（３）に説示のＬ’乃至Ｑ’の構成を備えているので、双方の発明は、「外部装置からの入力データに応じて印字動作を行う印刷装置の制御方法において、当該印刷装置の消費電力を節約するべく、印刷装置の部材の消費電力を節約する状態とする消費電力節約モードへの移行条件を判断する移行条件判断工程と、前記消費電力節約モードを解除する解除条件を判断する解除条件判断工程と、前記移行条件成立時は当該印刷装置を前記消費電力節約モードに移行させ、前記解除条件成立時は前記消費電力節約モードを解除するモード制御工程とを有し、前記解除条件判断工程は、前記入力データが印字動作を必要としない所定のデータであるか否かを判別する判別工程を有し、前記モード制御工程は、該判別工程により当該入力データが前記所定のデータであると判別された場合に前記消費電力節約モードを解除しないが、前記所定のデータと判別された入力データが所定の制御コマンドである場合は、前記の消費電力を節約する状態を解除する状態を維持することを特徴とする印刷装置の制御方法。」の構成を備えているものである点において一致するが、
刊行物１の発明は、少なくとも構成Ｒの「前記所定のデータと判別された入力データが所定の表示部制御コマンドである場合は、前記表示部の消費電力を節約する状態を解除し、他の部材については消費電力を節約する状態を維持すること」の構成（以下、「摘示事項ｒ」という。）を備えていないものである。
　また、刊行物２、３の発明も、本件の請求項９に係る発明の構成Ｒの上記の摘示事項ｒを備えていないものである。
　そうすると、刊行物１乃至３の発明は、本願の請求項９に係る発明が奏する「本発明の印刷装置（中略）の制御方法によれば、消費電力節約モードを解除する解除条件が判断される際に、外部装置からの入力データが印字動作を必要としない所定のデータであるか否かが判別され、前記入力データが前記所定のデータであると判別された時は消費電力節約モードが解除されないが、所定のデータと判別された入力データが所定の表示部制御コマンドである場合は、前記表示部の消費電力を節約する状態を解除し、他の部材については消費電力を節約する状態を維持するので、例えば消費電力節約モードにある装置の表示部にリモート指示によりメッセージを表示したい場合でも、表示部の消費電力を節約する状態を解除し、その他の部材については消費電力を節約する状態を維持する結果、リモート指示によるメッセージ表示と装置の消費電力の低減という２つの目的をバランス良く達成することができる。」（【００３８】）という特有の効果を奏することはできない。
　したがって、本件の請求項９に係る発明は、当業者が刊行物１乃至３の発明に基いて想到することができたものではない。
４）本件の請求項１０乃至１６に係る発明
　本件の請求項１０乃至１６に係る発明は、それぞれ、請求項９に係る発明を技術的に限定したものであるから、本件の請求項１０乃至１６に係る発明は、当業者が刊行物１乃至３の発明に基いて想到することができたものではない。
４．むすび
　以上のとおりであるから、本件の請求項１乃至１６に係る発明は、その発明の属する技術の分野における通常の知識を有する者が刊行物１乃至３に記載された発明に基いて容易に発明をすることができたものではなく、特許異議申立の理由及び証拠によっては、本件の請求項１乃至１６に係る発明の特許を取り消すことはできない。
　また、他に本件の請求項１乃至１６に係る発明の特許を取り消すべき理由を発見しない。
　したがって、本件発明についての特許は、拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年６月１０日（２００２．６．１０）
【訂正の要旨】
訂正の要旨
　本件訂正請求は、次のア乃至オのとおりに訂正するものである。
ア．訂正事項ａ
　特許請求の範囲における請求項１の「当該印刷装置の消費電力を節約する状態とする消費電力節約モード」及び「前記解除条件判断手段は、前記入力データが印字動作を必要としない所定のデータであるか否かを判別する判別手段を備え、該判別手段により当該入力データが前記所定のデータであると判別された場合に、前記モード制御手段は、前記消費電力節約モードを解除しないことを特徴とする」を特許請求の範囲の減縮及び明りようでない記載の釈明を目的として、「当該印刷装置の消費電力を節約するべく、表示部を含む複数の部材の消費電力を節約する状態とする消費電力節約モード」及び「前記解除条件判断手段は、前記入力データが印字動作を必要としない所定のデータであるか否かを判別する判別手段を備え、前記モード制御手段は、該判別手段により当該入力データが前記所定のデータであると判別された場合に前記消費電力節約モードを解除しないが、前記所定のデータと判別された入力データが所定の表示部制御コマンドである場合は、前記表示部の消費電力を節約する状態を解除し、他の部材については消費電力を節約する状態を維持することを特徴とする」と訂正するものである。
イ．訂正事項ｂ
　特許請求の範囲における請求項９の「当該印刷装置の消費電力を節約する状態とする消費電力節約モード」及び「前記解除条件判断工程は、前記入力データが印字動作を必要としない所定のデータであるか否かを判別する判別工程を有し、該判別工程により当該入力データが前記所定のデータであると判別された場合に、前記モード制御工程は、前記消費電力節約モードを解除しないことを特徴とする」を特許請求の範囲の減縮及び明りようでない記載の釈明を目的として、「当該印刷装置の消費電力を節約するべく、表示部を含む複数の部材の消費電力を節約する状態とする消費電力節約モード」及び「前記解除条件判断工程は、前記入力データが印字動作を必要としない所定のデータであるか否かを判別する判別工程を有し、前記モード制御工程は、該判別工程により当該入力データが前記所定のデータであると判別された場合に前記消費電力節約モードを解除しないが、前記所定のデータと判別された入力データが所定の表示部制御コマンドである場合は、前記表示部の消費電力を節約する状態を解除し、他の部材については消費電力を節約する状態を維持することを特徴とする」と訂正するものである。
ウ．訂正事項ｃ
　段落【０００６】を、明りょうでない記載の釈明を目的として、「【課題を解決するための手段】上記目的を達成するため本発明は、外部装置からの入力データに応じて印字動作を行う印刷装置において、当該印刷装置の消費電力を節約するべく、表示部を含む複数の部材の消費電力を節約する状態とする消費電力節約モードへの移行条件を判断する移行条件判断手段と、前記消費電力節約モードを解除する解除条件を判断する解除条件判断手段と、前記移行条件成立時は当該印刷装置を前記消費電力節約モードに移行させ、前記解除条件成立時は前記消費電力節約モードを解除するモード制御手段とを有し、前記解除条件判断手段は、前記入力データが印字動作を必要としない所定のデータであるか否かを判別する判別手段を備え、前記モード制御手段は、該判別手段により当該入力データが前記所定のデータであると判別された場合に前記消費電力節約モードを解除しないが、前記所定のデータと判別された入力データが所定の表示部制御コマンドである場合は、前記表示部の消費電力を節約する状態を解除し、他の部材については消費電力を節約する状態を維持するようにしたものである。」と訂正するものである。
エ．訂正事項ｄ
段落【０００７】を、明りょうでない記載の釈明を目的として「【０００７】さらに本発明は同じ目的を達成するため、外部装置からの入力データに応じて印字動作を行う印刷装置の制御方法において、当該印刷装置の消費電力を節約するべく、表示部を含む複数の部材の消費電力を節約する状態とする消費電力節約モードへの移行条件を判断する移行条件判断工程と、前記消費電力節約モードを解除する解除条件を判断する解除条件判断工程と、前記移行条件成立時は当該印刷装置を前記消費電力節約モードに移行させ、前記解除条件成立時は前記消費電力節約モードを解除するモード制御工程とを有し、前記解除条件判断工程は、前記入力データが印字動作を必要としない所定のデータであるか否かを判別する判別工程を有し、前記モード制御工程は、該判別工程により当該入力データが前記所定のデータであると判別された場合に前記消費電力節約モードを解除しないが、前記所定のデータと判別された入力データが所定の表示部制御コマンドである場合は、前記表示部の消費電力を節約する状態を解除し、他の部材については消費電力を節約する状態を維持するようにしたものである。」と訂正するものである。
オ．訂正事項ｅ
段落【００２８】を、明りょうでない記載の釈明を目的として「【００２８】【発明の効果】　以上詳述したように本発明の印刷装置又はその制御方法によれば、消費電力節約モードを解除する解除条件が判断される際に、外部装置からの入力データが印字動作を必要としない所定のデータであるか否かが判別され、前記入力データが前記所定のデータであると判別された時は消費電力節約モードが解除されないが、所定のデータと判別された入力データが所定の表示部制御コマンドである場合は、前記表示部の消費電力を節約する状態を解除し、他の部材については消費電力を節約する状態を維持するので、例えば消費電力節約モードにある装置の表示部にリモート指示によりメッセージを表示したい場合でも、表示部の消費電力を節約する状態を解除し、その他の部材については消費電力を節約する状態を維持する結果、リモート指示によるメッセージ表示と装置の消費電力の低減という２つの目的をバランス良く達成することができる。」と訂正するものである。
（５４）【発明の名称】
印刷装置及びその制御方法
（５７）【特許請求の範囲】
　【請求項１】　外部装置からの入力データに応じて印字動作を行う印刷装置において、
　当該印刷装置の消費電力を
節約するべく、表示部を含む複数の部材の消費電力を
　前記消費電力節約モードを解除する解除条件を判断する解除条件判断手段と、
　前記移行条件成立時は当該印刷装置を前記消費電力節約モードに移行させ、前記解除条件成立時は前記消費電力節約モードを解除するモード制御手段とを有し、
　前記解除条件判断手段は、前記入力データが印字動作を必要としない所定のデータであるか否かを判別する判別手段を備え、
　前記モード制御手段は、
が前
に前
が、前記所定のデータと判別された入力データが所定の表示部制御コマンドである場合は、前記表示部の消費電力を節約する状態を解除し、他の部材については消費電力を節約する状態を維持する
　【請求項２】　前記所定のデータは、当該印刷装置の各種情報を問うステータス応答コマンドであることを特徴とする請求項１記載の印刷装置。
　【請求項３】　前記所定のデータは、当該印刷装置のインターフェースのフローコントロールをするための制御コードであることを特徴とする請求項１記載の印刷装置。
　【請求項４】　前記所定のデータは、当該印刷装置に登録するダウンロードフォントデータであることを特徴とする請求項１記載の印刷装置。
　【請求項５】　前記所定のデータは、当該印刷装置に登録するオーバレイプリントデータであることを特徴とする請求項１記載の印刷装置。
　【請求項６】　前記所定のデータは、当該印刷装置に登録するマクロデータであることを特徴とする請求項１記載の印刷装置。
　【請求項７】　前記所定のデータは、当該印刷装置の表示部制御コマンドであることを特徴とする請求項１記載の印刷装置。
　【請求項８】　前記所定のデータは、当該印刷装置の各種情報を問うステータス応答コマンド、当該印刷装置のインターフェースのフローコントロールをするための制御コード、当該印刷装置に登録するダウンロードフォントデータ、当該印刷装置に登録するオーバレイプリントデータ、当該印刷装置に登録するマクロデータ及び当該印刷装置の表示部制御コマンドの少なくとも１つであることを特徴とする請求項１記載の印刷装置。
　【請求項９】　外部装置からの入力データに応じて印字動作を行う印刷装置の制御方法において、
　当該印刷装置の消費電力を
節約するべく、表示部を含む複数の部材の消費電力を
　前記消費電力節約モードを解除する解除条件を判断する解除条件判断工程と、
　前記移行条件成立時は当該印刷装置を前記消費電力節約モードに移行させ、前記解除条件成立時は前記消費電力節約モードを解除するモード制御工程とを有し、
　前記解除条件判断工程は、前記入力データが印字動作を必要としない所定のデータであるか否かを判別する判別工程を有し、
　
前記モード制御工程は、
が前
に前
が、前記所定のデータと判別された入力データが所定の表示部制御コマンドである場合は、前記表示部の消費電力を節約する状態を解除し、他の部材については消費電力を節約する状態を維持する
　【請求項１０】　前記所定のデータは、当該印刷装置の各種情報を問うステータス応答コマンドであることを特徴とする請求項９記載の印刷装置の制御方法。
　【請求項１１】　前記所定のデータは、当該印刷装置のインターフェースのフローコントロールをするための制御コードであることを特徴とする請求項９記載の印刷装置の制御方法。
　【請求項１２】　前記所定のデータは、当該印刷装置に登録するダウンロードフォントデータであることを特徴とする請求項９記載の印刷装置の制御方法。
　【請求項１３】　前記所定のデータは、当該印刷装置に登録するオーバレイプリントデータであることを特徴とする請求項９記載の印刷装置の制御方法。
　【請求項１４】　前記所定のデータは、当該印刷装置に登録するマクロデータであることを特徴とする請求項９記載の印刷装置の制御方法。
　【請求項１５】　前記所定のデータは、当該印刷装置の表示部制御コマンドであることを特徴とする請求項９記載の印刷装置の制御方法。
　【請求項１６】　前記所定のデータは、当該印刷装置の各種情報を問うステータス応答コマンド、当該印刷装置のインターフェースのフローコントロールをするための制御コード、当該印刷装置に登録するダウンロードフォントデータ、当該印刷装置に登録するオーバレイプリントデータ、当該印刷装置に登録するマクロデータ及び当該印刷装置の表示部制御コマンドの少なくとも１つであることを特徴とする請求項９記載の印刷装置の制御方法。
【発明の詳細な説明】
　【０００１】
　【産業上の利用分野】
　本発明は、コンピュータなどの外部装置から送信された制御コードや文字コードなどの印刷情報を受信し、印刷を行う印刷装置及びその制御方法に関する。
　【０００２】
　【従来の技術】
　ホストコンピュータなどの外部装置と接続されて用いられる周辺機器の１つに印刷装置がある。この印刷装置には「外部装置から一定時間以上入力データが来ない」、「一定時間以上パネル操作が行われない」などの条件が満たされた場合、無駄な電力を消費させないためにプリンタエンジンやコントロールパネルへの電源供給を遮断して消費電力節約モードへ自動的に移行するものがある。そして、消費電力節約モードに移行した印刷装置は、「外部装置からのデータ入力」、「パネル操作」などの解除条件が発生したことで消費電力節約モードを解除する。
　【０００３】
　この外部装置からのデータ入力という解除条件は、従来の印刷装置では受信データの種類（内容）に関係なく消費電力節約モードを解除するというものであった。
　【０００４】
　【発明が解決しようとする課題】
　しかしながら、外部装置から印刷装置へ送信されるデータには、実際に印字動作をさせるための印刷データの他に、印刷装置の状態を問い合わせるステータス応答コマンドや印刷装置へダウンロードするフォントデータなど印字動作を行わないデータもあり、改善の余地が残されていた。すなわち、印刷装置が消費電力節約モードに移行しているとき、このような印字動作を伴わないデータを受信した場合でも、従来の印刷装置では、消費電力節約モードが解除されプリンタエンジンなどへの電源供給を再開してしまうため、無駄な電力が消費されていた。
　【０００５】
　本発明はこの点に鑑みてなされたものであり、消費電力節約モードの解除条件を適切に設定し、より一層の消費電力の低減を図ることができる印刷装置及びその制御方法を提供することを目的とする。
　【０００６】
　【課題を解決するための手段】
　上記目的を達成するため本発明は、外部装置からの入力データに応じて印字動作を行う印刷装置において、当該印刷装置の消費電力を
節約するべく、表示部を含む複数の部材の消費電力を
前記モード制御手段は、
が前
に前
が、前記所定のデータと判別された入力データが所定の表示部制御コマンドである場合は、前記表示部の消費電力を節約する状態を解除し、他の部材については消費電力を節約する状態を維持する
　【０００７】
　さらに本発明は同じ目的を達成するため、外部装置からの入力データに応じて印字動作を行う印刷装置の制御方法において、当該印刷装置の消費電力を
節約するべく、表示部を含む複数の部材の消費電力を
前記モード制御工程は、
が前
に前
が、前記所定のデータと判別された入力データが所定の表示部制御コマンドである場合は、前記表示部の消費電力を節約する状態を解除し、他の部材については消費電力を節約する状態を維持する
　【０００８】
　また、前記所定のデータは、当該印刷装置の各種情報を問うステータス応答コマンド、当該印刷装置のインターフェースのフローコントロールをするための制御コード、当該印刷装置に登録するダウンロードフォントデータ、当該印刷装置に登録するオーバレイプリントデータ、当該印刷装置に登録するマクロデータ及び当該印刷装置の表示部制御コマンドの少なくとも１つであることが望ましい。
　【０００９】
　【作用】
　当該印刷装置の消費電力を節約する消費電力節約モードへの移行条件及び前記消費電力節約モードを解除する解除条件が判断され、前記移行条件成立時は当該印刷装置が前記消費電力節約モードに移行し、前記解除条件成立時は前記消費電力節約モードが解除され、前記消費電力節約モードにおける入力データが印字動作を必要としない所定のデータであるときは、前記消費電力節約モードが解除されない。
　【００１０】
　【実施例】
　以下本発明の実施例を図面を参照して説明する。
　【００１１】
　図１は本発明の一実施例にかかる印刷装置の構成を示す断面図であり、例えばレーザビームプリンタ（以下「ＬＢＰ」という）の場合を示す。
　【００１２】
　同図において、１０００はＬＢＰ本体であり、外部に接続されているホストコンピュータから供給される印刷情報（文字コード等）やフォーム情報あるいはマクロ命令等を入力して記憶するとともに、それらの情報に従って対応する文字パターンやフォームパターン等を作成し、記録媒体である記録紙等に像を形成する。１０１２は操作のためのスイッチおよびＬＥＤ、表示器等が配されている操作パネル、１００１はＬＢＰ本体１０００全体の制御およびホストコンピュータから供給される文字情報等を解析するプリンタ制御ユニットである。このプリンタ制御ユニット１００１は、主に文字情報を対応する文字パターンのビデオ信号に変換してレーザドライバ１００２に出力する。レーザドライバ１００２は半導体レーザ１００３を駆動するための回路であり、入力されたビデオ信号に応じて半導体レーザ１００３から発射されるレーザ光１００４をオン・オフ切り換えする。レーザ光１００４は回転多面鏡１００５で左右方向に振らされて静電ドラム１００６上を走査露光する。これにより、静電ドラム１００６上には文字パターンの静電潜像が形成されることになる。この潜像は、静電ドラム１００６周囲に配設された現像ユニット１００７により現像された後、記録紙に転写される。この記録紙にはカットシートを用い、カットシート記録紙はＬＢＰ１０００に挿着した用紙カセット１００８に収納され、給紙ローラ１００９および搬送ローラ１０１０と搬送ローラ１０１１とにより、装置内に取り込まれて、静電ドラム１００６に供給される。
　【００１３】
　図２は、上記ＬＢＰ（プリンタ）１０００及びホストコンピュータ３０００からなるプリンタ制御システムの構成を説明するブロック図である。
　【００１４】
　同図において、ホストコンピュータ３０００は、ＲＯＭ３のプログラム用ＲＯＭに記憶された文書処理プログラム等に基づいて図形、イメージ、文字、表（表計算等を含む）等が混在した文書処理を実行するＣＰＵ１を備え、システムバス４に接続される各デバイスをＣＰＵ１が総括的に制御する。
　【００１５】
　また、このＲＯＭ３のプログラム用ＲＯＭには、ＣＰＵ１の制御プログラム等を記憶し、ＲＯＭ３のフォント用ＲＯＭには上記文書処理の際に使用するフォントデータ等を記憶し、ＲＯＭ３のデータ用ＲＯＭは上記文書処理等を行う際に使用する各種データを記憶する。２はＲＡＭで、ＣＰＵ１の主メモリ、ワークエリア等として機能する。５はキーボードコントローラ（ＫＢＣ）で、キーボード９や不図示のポインティングデバイスからのキー入力を制御する。６はＣＲＴコントローラ（ＣＲＴＣ）で、ＣＲＴディスプレイ（ＣＲＴ）１０の表示を制御する。７はメモリコントローラ（ＭＣ）で、ブートプログラム、種々のアプリケーション、フォントデータ、ユーザファイル、編集ファイル等を記憶するハードディスク（ＨＤ）、フロッピーディスク（ＦＤ）等の外部メモリ１１とのアクセスを制御する。８はプリンタコントローラ（ＰＲＴＣ）で、所定の双方向性インタフェース（インタフェース）２１を介してプリンタ１０００に接続されて、プリンタ１０００との通信制御処理を実行する。なお、ＣＰＵ１は、例えばＲＡＭ２上に設定された表示情報ＲＡＭへのアウトラインフォントの展開（ラスタライズ）処理を実行し、ＣＲＴ１０上でのＷＹＳＩＷＹＧを可能としている。また、ＣＰＵ１は、ＣＲＴ１０上の不図示のマウスカーソル等で指示されたコマンドに基づいて登録された種々のウィンドウを開き、種々のデータ処理を実行する。
　【００１６】
　プリンタ１０００において、制御ユニット１００１は、プリンタＣＰＵ１２、ＲＯＭ１３、ＲＡＭ１９、入力部１８、印刷部インタフェース１６、メモリコントローラ（ＭＣ）２０及びシステムバス１５からなる。プリンタＣＰＵ１２は、ＲＯＭ１３のプログラム用ＲＯＭに記憶された制御プログラム等或いは外部メモリ１４に記憶された制御プログラム等に基づいてシステムバス１５に接続される各種のデバイスとのアクセスを総括的に制御し、印刷部インタフェース１６を介して接続される印刷部（プリンタエンジン）１７に出力情報としての画像信号を出力する。また、このＲＯＭ１３のプログラムＲＯＭには、後述する図４のフローチャートで示されるようなＣＰＵ１２の制御プログラム等を記憶する。ＲＯＭ１３のフォント用ＲＯＭには上記出力情報を生成する際に使用するフォントデータ等を記憶し、ＲＯＭ１３のデータ用ＲＯＭにはハードディスク等の外部メモリ１４が無いプリンタの場合には、ホストコンピュータ３０００上で利用される情報等を記憶している。ＣＰＵ１２は入力部１８を介してホストコンピュータ３０００との通信処理が可能となっており、プリンタ内の情報等をホストコンピュータ３０００に通知可能に構成されている。ＲＡＭ１９はＣＰＵ１２の主メモリ、ワークエリア等として機能し図示しない増設ポートに接続されるオプションＲＡＭによりメモリ容量を拡張することができるように構成されている。なお、ＲＡＭ１９は、印刷データをビットマップ展開し格納しておくための描画メモリ、環境データ格納領域、その他のワーク領域等に用いられる。外部メモリ１４は、ハードディスク（ＨＤ）、ＩＣカード等からなり、メモリコントローラ（ＭＣ）２０によりアクセスを制御される。外部メモリ１４は、オプションとして接続され、フォントデータ、エミュレーションプログラム、フォームデータ等を記憶する。また、１０１２は前述した操作部で、使用者が操作するためのスイッチおよびＬＥＤ、表示器等が配されている。
　【００１７】
　また、前述した外部メモリは１個に限らず、少くとも１個以上備え、内蔵フォントに加えてオプションフォントカード、言語系の異なるプリンタ制御言語を解釈するプログラムを格納した外部メモリを複数接続できるように構成されていても良い。さらに、図示しないいＮＶＲＡＭ（不揮発性ＲＡＭ）を有し、操作パネル１０１２からのプリンタモード設定情報を記憶するようにしても良い。
　【００１８】
　以上のように構成される印刷システムにおけるプリンタ１０００の制御ユニット１００１の処理動作を説明する。図３はこの動作説明のために、制御部１００１を機能ブロック図として表わしたものであり、同図において出力部３３及び消費電力節約モード制御部３４の一部は印刷部インタフェース１６によって構成され、消費電力節約モード判定部３１、印刷データ解析部３２及び消費電力節約モード制御部３４の一部はプリンタＣＰＵ１２、ＲＯＭ１３、ＲＡＭ１９等によって構成される。消費電力節約モード判定部３１は消費電力節約モードへの移行またはその解除の判定を行い、印刷データ解析部３２は印刷データを解析しビットマップ形式の出力イメージを生成し、出力部３３は生成された出力イメージに従ってレーザービームのＯＮ／ＯＦＦ制御を行う。４１及び４２は操作パネル１０１２に配置され、印刷装置の各種情報などを表示する表示器及びＬＥＤであり、消費電力節約モード制御部３４は印刷部１７、表示器４１及びＬＥＤ４２に対する消費電力節約モードのＯＮ／ＯＦＦの制御を行う。なお、印刷部１７は、消費電力の大きい定着器ヒータなどが含まれる。
　【００１９】
　ここで消費電力節約モード判定部３１と消費電力節約モード制御部３４をさらに詳しく説明する。
　【００２０】
　印刷装置が通常モードにある場合、消費電力節約モード判定部３１は外部装置３０００からの印刷動作を伴うデータの入力やユーザによるパネル操作が一定時間ない、というような移行条件を検出し、条件が成立すると消費電力節約モード制御部３４へ消費電力節約モードに移行させるように通知する。消費電力節約モード制御部３４は印刷部１７、表示器４１、ＬＥＤ４２を消費電力節約モードにする。この消費電力節約モードでは、印刷部１７の定着器ヒータへの通電や表示器４１、ＬＥＤ４２への通電が停止又は制限される。
　【００２１】
　なお、ここでは消費電力節約モードへの移行条件として「印刷動作を伴うデータの入力が一定時間ない」、「ユーザによるパネル操作が一定時間ない」としたが、本実施例ではこれに限定されるものではなく「一定時間カセットの抜き差しがない」「エラーが発生していない」なども移行条件とすることができる。また、消費電力節約モードの対象デバイスとして印刷部（プリンタエンジン）、表示部、ＬＥＤとしたが、これに限定されるものではなく消費電力が節約となる機構を備えているものであればよい。
　【００２２】
　図４は印刷装置が消費電力節約モードにある時の消費電力節約モード判定部３１の処理手順を表わすフローチャートである。まず、ステップＳ１１で外部装置３０００からの入力データを持つ。外部装置３０００からデータが入力されるとステップＳ１２でその入力データが印刷装置１０００の各種情報を問うステータス応答コマンドであるかどうか判定し、ステータス応答コマンドであると判断された場合は消費電力節約モードを解除せず入力データを印字データ解析部３２へ渡す（ステップＳ１４）。一方、ステップＳ１２において入力データがステータス応答コマンドではないと判断された場合は、ステップＳ１３で消費電力節約モード制御部３４に解除を通知し、消費電力節約モードになっていた印刷部１７、表示部４１、ＬＥＤ４２を通常モードに戻す。
　【００２３】
　なお、上述した実施例ではステータス応答コマンドを消費電力節約モードを解除しない入力データとしたが、インタフェースのフローコントロールを行うための制御コードである場合としてもよい。例えば、ＲＳ−２３２Ｃを使用している時はＸＯＮ（０ｘ１１）／ＸＯＦＦ（Ｏｘ１３）といった制御コードである。
　【００２４】
　また、消費電力節約モードを解除しない入力データとして、プリンタへ登録するダウンロードフォントデータ、プリンタへ登録するオーバーレイ印刷データ及び／又はプリンタへ登録するマクロデータを採用してもよい。ここでマクロデータとは、例えば１つの命令で複数の処理を実行可能とするためのプリンタの制御命令データである。
　【００２５】
　さらに入力データが表示器４１やＬＥＤ４２を制御するためのコマンドである場合も、消費電力節約モードを解除しないようにしてもよい。但し、この場合は、コマンドの内容に応じて表示器４１やＬＥＤ４２だけは消費電力節約モードを解除する。
　【００２６】
　以上のように上述した実施例によれば、消費電力節約モードにおいてホストコンピュータ３０００からプリンタ１０００に入力されたデータが、印字動作を必要としない所定データ、すなわちステータス応答コマンド、ダウンロードフォントデータ等であるときは、消費電力節約モードが解除されないので、データが入力されたときに常に消費電力節約モードを解除するものに比べて、より一層の電力低減を図ることができる。
　【００２７】
　なお、本発明は上述した実施例に限定されるものではなく、例えばレーザプリンタのみならずインクジェットプリンタ等の他のプリント方式のプリンタにも適用しうる。また、単体の機器であっても、複数の機器からなるシステムであっても、ＬＡＮ等のネットワークを介して処理が行われるシステムであっても本発明を適用することができる。
　【００２８】
　【発明の効果】
　以上詳述したように本発明の印刷装置又はその制御方法によれば、消費電力節約モードを解除する解除条件が判断される際に、外部装置からの入力データが印字動作を必要としない所定のデータであるか否かが判別され、前記入力データが前記所定のデータであると判別された時は消費電力節約モードが解除されない
が、所定のデータと判別された入力データが所定の表示部制御コマンドである場合は、前記表示部の消費電力を節約する状態を解除し、他の部材については消費電力を節約する状態を維持する
例えば消費電力節約モードにある装置の表示部にリモート指示によりメッセージを表示したい場合でも、表示部の消費電力を節約する状態を解除し、その他の部材については消費電力を節約する状態を維持する結果、リモート指示によるメッセージ表示と装置の消費電力の低減という２つの目的をバランス良く達成することができる。
【図面の簡単な説明】
　【図１】
　本発明の一実施例にかかるレーザビームプリンタの内部構造を示す断面図である。
　【図２】
　図１のプリンタを含むプリンタ制御システムの構成を示すブロック図である。
　【図３】
　図２のプリンタ制御ユニットを機能ブロック図として表した図である。
　【図４】
　消費電力節約モード解除条件判断手順の一例を示すフローチャートである。
　【符号の説明】
１２　プリンタＣＰＵ（移行条件判断手段、解除条件判断手段、モード制御手段、判別手段）
１３　ＲＯＭ
１６　印刷部インターフェース
１７　印刷部
１８　入力部
１９　ＲＡＭ
１０００　プリンタ（印刷装置）
１０１２　操作パネル